(57)【要約】【課題】衝撃を受けても装置から外れにくい耐衝撃性に優れたアタッチメントを提供する。【解決手段】第１カバー１１は、外側係合部３１と、握り部１ａの一部を収容可能な握り部収容部２１と、を有し、第２カバー１２は、内側係合部３２と、握り部１ａの他の一部を収容可能な握り部収容部２１と、を有し、第１カバー１１と第２カバー１２とが握り押ボタン式子機１に装着された状態において、第１カバー１１の握り部収容部２１の内壁面２１ａおよび第２カバー１２の握り部収容部２１の内壁面２１ａが握り部１ａの外周面に接触し、外側係合部３１の側面と握り部１ａの外周面とで形成された凹部５０に内側係合部３２が嵌合されるとともに外側係合部３１と内側係合部３２が係合することによって第１カバー１１、第２カバー１２および握り押ボタン式子機１が互いに位置決めされる位置決め構造が構成される。【選択図】図９
2016034421.tif 000002
【特許請求の範囲】
【請求項１】
手で握るための握り部を有する装置に装着されるとともに、第１カバーと第２カバーとで構成されるアタッチメントであって、
前記第１カバーは、
第１係合部と、
前記握り部の一部を収容可能な第１収容部と、
を有し、
前記第２カバーは、
前記第１係合部と係合する第２係合部と、
前記握り部の他の一部を収容可能な第２収容部と、
を有し、
前記第１カバーと前記第２カバーとが前記装置に装着された状態において、
前記第１収容部の内壁面および前記第２収容部の内壁面が前記握り部の外周面に接触し、
前記第１係合部の側面と前記握り部の外周面とで凹部が形成され、前記凹部に前記第２係合部が嵌合されるとともに前記第１係合部と前記第２係合部が係合することによって前記第１カバー、前記第２カバーおよび前記装置が互いに位置決めされる位置決め構造が構成される、アタッチメント。
【請求項２】
前記第１カバーと前記第２カバーとが前記装置に装着された状態において、前記第１係合部が突出する方向を第１方向とし、前記第１方向と垂直に交差するとともに前記第１係合部の前記側面が前記握り部の外周面と対向する向きを第２方向とした場合、
前記第１係合部と前記第２係合部とが係合することによって、前記第１カバーと前記第２カバーとが互いに前記第１方向に沿って移動することが規制され、
前記第１収容部の内壁面および前記第２収容部の内壁面が前記握り部の外周面に接触することによって、前記第１カバーと前記第２カバーとが互いに前記第２方向に沿って移動することが規制される、請求項１に記載のアタッチメント。
【請求項３】
前記第１カバーと前記第２カバーとが、同一形状である、請求項１または請求項２に記載のアタッチメント。
【請求項４】
前記装置は、ナースコール装置に接続される握り押ボタン式子機であって、前記握り部の長手方向の一端に形成される呼出押ボタンと、前記握り部の側面に形成される呼出握りボタンとを有しており、
前記第１カバーと前記第２カバーとが前記握り押ボタン式子機に装着された状態において、
前記呼出押ボタンは外部に露出しており、前記呼出握りボタンは前記第１カバーおよび前記第２カバーによって覆われている、請求項１から請求項３のいずれか一項に記載のアタッチメント。
【発明の詳細な説明】
【技術分野】
【０００１】
本発明は、握り部を有する装置に装着されるアタッチメントに関する。
【背景技術】
【０００２】
従来、ナースコール装置に接続される握り押ボタン式子機に装着される握り押ボタン用のアタッチメントがある。下記の特許文献１に記載のアタッチメントは、把持部とレバー部を有している。レバー部は、メス型嵌合部を有する第１のアームと、オス型嵌合部を有する第２のアームとで構成されている。アタッチメントが装着された状態において、握り押ボタン式子機は、把持部とレバー部との間で支持される。
【先行技術文献】
【特許文献】
【０００３】
【特許文献１】特開２００７−１６７２０５号公報
【発明の概要】
【発明が解決しようとする課題】
【０００４】
医療従事者や患者等が、アタッチメントが装着された状態の握り押ボタン式子機を手から滑らせて、床に落下させてしまう場合がある。特許文献１に記載のアタッチメントは、落下時の衝撃で握り押ボタン式子機から外れ易く、改善の余地があった。
【０００５】
本発明は、衝撃を受けても装置から外れにくい耐衝撃性に優れたアタッチメントを提供することを目的とする。
【課題を解決するための手段】
【０００６】
本発明にかかるアタッチメントは、
手で握るための握り部を有する装置に装着されるとともに、第１カバーと第２カバーとで構成されるアタッチメントであって、
前記第１カバーは、
第１係合部と、
前記握り部の一部を収容可能な第１収容部と、
を有し、
前記第２カバーは、
前記第１係合部と係合する第２係合部と、
前記握り部の他の一部を収容可能な第２収容部と、
を有し、
前記第１カバーと前記第２カバーとが前記装置に装着された状態において、
前記第１収容部の内壁面および前記第２収容部の内壁面が前記握り部の外周面に接触し、
前記第１係合部の側面と前記握り部の外周面とで凹部が形成され、前記凹部に前記第２係合部が嵌合されるとともに前記第１係合部と前記第２係合部が係合することによって前記第１カバー、前記第２カバーおよび前記装置が互いに位置決めされる位置決め構造が構成される。
【０００７】
この態様によれば、握り押ボタン式子機の握り部と、第１カバーと、第２カバーとの３つの部材によって、これらの３つの部材の位置が互いに位置決めされる位置決め構造が成立している。そして、アタッチメントを装着した状態において、第１カバーと第２カバーとの係合部分の周囲では、装着される握り押ボタン式子機の握り部の外周面が第１カバーの第１収容部の内壁面および第２カバーの第２収容部の内壁面に密着している。このため、アタッチメントが装着された状態の握り押ボタン式子機を手から滑らせて、床に落下させてしまった場合であっても、握り押ボタン式子機とアタッチメントとの位置関係が大きくずれることはなく、落下時にアタッチメントは外れにくい。
【０００８】
また、本発明のアタッチメントにおいて、前記第１カバーと前記第２カバーとが前記装置に装着された状態において、前記第１係合部が突出する方向を第１方向とし、前記第１方向と垂直に交差するとともに前記第１係合部の前記側面が前記握り部の外周面と対向する向きを第２方向とした場合、
前記第１係合部と前記第２係合部とが係合することによって、前記第１カバーと前記第２カバーとが互いに前記第１方向に沿って移動することが規制され、
前記第１収容部の内壁面および前記第２収容部の内壁面が前記握り部の外周面に接触することによって、前記第１カバーと前記第２カバーとが互いに前記第２方向に沿って移動することが規制されるものでも良い。
【０００９】
この態様によれば、握り押ボタン式子機のアタッチメントに対する移動を規制する箇所が分散しているので、落下による衝撃力を分散して受け止めることができる。このため、握り押ボタン式子機が床に落下した場合であっても、一か所の係合部分に衝撃力が集中することがなく、外れにくい。しかも、アタッチメントを装着する際には、装着するための力も分散される。このため、握り押ボタン式子機へ容易に装着することができる。
【００１０】
また、本発明のアタッチメントにおいて、前記第１カバーと前記第２カバーとが、同一形状であっても良い。
【００１１】
この態様によれば、第１カバーおよび第２カバーを同じ金型で製造でき、製造コストを抑えることができる。
【００１２】
また、本発明のアタッチメントにおいて、前記装置は、ナースコール装置に接続される握り押ボタン式子機であって、前記握り部の長手方向の一端に形成される呼出押ボタンと、前記握り部の側面に形成される呼出握りボタンとを有しており、
前記第１カバーと前記第２カバーとが前記握り押ボタン式子機に装着された状態において、
前記呼出押ボタンは外部に露出しており、前記呼出握りボタンは前記第１カバーおよび前記第２カバーによって覆われているものでも良い。
【００１３】
この態様によれば、床に落下させてしまった場合であっても、握り押ボタン式子機とアタッチメントとの位置関係が大きくずれることはなく、落下時の衝撃力によって呼出握りボタンが押下されることによる誤呼び出しを抑制することができる。
【発明の効果】
【００１４】
本発明によれば、衝撃を受けても装置から外れにくい耐衝撃性に優れたアタッチメントを提供することができる。
【図面の簡単な説明】
【００１５】
【図１】本実施形態に係るアタッチメントが装着された握り押ボタン式子機の斜視図である。
【図２】本実施形態に係るアタッチメントおよび握り押ボタン式子機の斜視図である。
【図３】本実施形態に係るアタッチメントが装着された握り押ボタン式子機の平面図である。
【図４】アタッチメントが取り外された握り押ボタン式子機の平面図である。
【図５】本実施形態に係るアタッチメントを構成する第１カバーを説明する図であって、（ａ）は第１カバーの外面側から視た斜視図、（ｂ）は第１カバーの内面側から視た斜視図である。
【図６】本実施形態に係るアタッチメントを構成する第１カバーを説明する図であって、（ａ）は第１カバーの平面図、（ｂ）は第１カバーの側面図、（ｃ）は第１カバーの裏面図、（ｄ）は第１カバーの（ｂ）と反対側の側面図である。
【図７】図６（ｃ）におけるＡ−Ａ断面図である。
【図８】図６（ｃ）におけるＢ−Ｂ断面図である。
【図９】図３におけるＣ−Ｃ断面図である。
【図１０】図３におけるＤ−Ｄ断面図である。
【図１１】図３における握り押ボタン式子機を外した状態のＥ−Ｅ断面図である。
【図１２】図３におけるＦ−Ｆ断面図である。
【図１３】握り押ボタン式子機へアタッチメントを装着する際の状態を説明する図であって、（ａ）から（ｃ）は、図３のＣ−Ｃ線の位置における、それぞれ第１カバーおよび第２カバーの係合部分の断面図である。
【図１４】握り押ボタン式子機へアタッチメントを装着する際の状態を説明する図であって、（ａ）から（ｃ）は、図３のＤ−Ｄ線の位置における、それぞれ第１カバーおよび第２カバーの係合部分の断面図である。
【発明を実施するための形態】
【００１６】
以下、本発明に係るアタッチメントの実施の形態の例を、図面を参照して説明する。
図１から図３に示すように、本実施形態に係るアタッチメント１０は、握り押ボタン式子機１に装着される。握り押ボタン式子機１は、ケーブル２を介してナースコール装置（図示略）に接続される。アタッチメント１０は、第１カバー１１と第２カバー１２とから構成された半割り構造とされている。第１カバー１１および第２カバー１２は、握り押ボタン式子機１を挟んで互いに突き合わされることで、握り押ボタン式子機１に装着される。これにより、握り押ボタン式子機１は、第１カバー１１と第２カバー１２とからなるアタッチメント１０で覆われる。
【００１７】
握り押ボタン式子機１の呼出押ボタン３は、アタッチメント１０を装着した状態で、アタッチメント１０から露出されている。また、第１カバー１１および第２カバー１２を装着した状態で、握り押ボタン式子機１の機能ボタン５は、アタッチメント１０を構成する第１カバー１１または第２カバー１２の窓部２２で露出されている。
【００１８】
図４は、アタッチメント１０が取り外された握り押ボタン式子機１の平面図である。
図４に示すように、握り押ボタン式子機１は、細長形状に形成された握り部１ａを有している。この握り押ボタン式子機１には、その一端部に、呼出押ボタン３を有しており、この呼出押ボタン３と反対側の他端からケーブル２が引き出されている。また、握り押ボタン式子機１は、握り部１ａの側面に、２つの呼出握りボタン４を有している。これらの呼出握りボタン４は、握り部１ａにおける互いに反対側に設けられている。呼出押ボタン３および呼出握りボタン４は、医者や看護師等の医療従事者を呼び出す際に押下される。
【００１９】
握り押ボタン式子機１の端部に設けられた呼出押ボタン３は、円形状とされており、例えば、握り部１ａを握りながら親指で押下される。握り押ボタン式子機１の両側部に設けられた呼出握りボタン４は、握り押ボタン式子機１の握り部１ａの長手方向（図中のＺ方向）に沿う長尺状とされており、握り部１ａを握ることで押下される。また、握り押ボタン式子機１には、握り部１ａの正面に、２つの機能ボタン５が設けられている。これらの機能ボタン５は、例えば、点滴の終了などを知らせる際に押下される。
【００２０】
アタッチメント１０を構成する第１カバー１１および第２カバー１２は、握り押ボタン式子機１の表裏から装着される。第１カバー１１および第２カバー１２は、プラスチック等の合成樹脂から成形されたもので、金型へ溶融樹脂を射出して成形する射出成形によって得られる。
【００２１】
次に、図５から図８を参照して第１カバー１１および第２カバー１２の構成について説明する。
図５〜図８に示すように、第１カバー１１は、短手方向（各図のＸ方向）における断面視で円弧状に形成されている。これにより、第１カバー１１は、内面側が凹む凹状に形成されており、この凹状の部分が握り部収容部（第１収容部の一例）２１とされている。この握り部収容部２１は、握り押ボタン式子機１の外形と略同一の内形を有しており、この握り部収容部２１には、握り押ボタン式子機１の握り部１ａ（図４参照）の略半分が収容可能とされている。握り部収容部２１を形成する第１カバー１１の内壁面２１ａは、握り部収容部２１に収容される握り押ボタン式子機１の握り部１ａの外周面に接触される。第１カバー１１は、その中央部分に窓部２２を有しており、握り押ボタン式子機１の握り部１ａを収容した際に、機能ボタン５およびその周辺部分が窓部２２において露出される。
【００２２】
第１カバー１１は、長手方向（各図中のＺ方向）の両端の近傍部分に、係合機能部３０を有している。両端のうち一方の係合機能部３０は、装着される握り押ボタン式子機１の呼出押ボタン側（図６（ｃ）のＡ−Ａ線の付近）に設けられている。この係合機能部３０は、短手方向（各図中のＸ方向）において第１カバー１１の握り部収容部２１の一方の縁部に形成された外側係合部（第１係合部の一例）３１Ａと他方の縁部に形成された内側係合部３２Ａとから構成されている。図７に示すように、外側係合部３１Ａは、第１カバー１１の縁部において、第１カバー１１の外面に沿って突出されている。外側係合部３１Ａは、握り部収容部２１側である内面側に、内方へ膨出する外側係合膨出部３１ａを有している。内側係合部３２Ａは、第１カバー１１の縁部にける厚さ方向の中央部分から突出されている。内側係合部３２Ａは、握り部収容部２１と反対側である外面側に、外方へ膨出する内側係合膨出部３２ａを有している。
【００２３】
両端のうち他方の係合機能部３０は、装着される握り押ボタン式子機１のケーブル側（図６（ｃ）のＢ−Ｂ線の付近）に設けられている。この係合機能部３０は、短手方向（各図中のＸ方向）において第１カバー１１の握り部収容部２１の一方の縁部に形成された外側係合部（第１係合部の一例）３１Ｂと他方の縁部に形成された内側係合部３２Ｂとから構成されている。図８に示すように、外側係合部３１Ｂは、第１カバー１１の縁部において、第１カバー１１の外面に沿って突出されている。外側係合部３１Ｂは、握り部収容部２１側である内面側に、内方へ膨出する外側係合膨出部３１ｂを有している。内側係合部３２Ｂは、第１カバー１１の内壁面２１ａに沿って突出されている。内側係合部３２Ｂは、握り部収容部２１と反対側である外面側に、外方へ膨出する内側係合膨出部３２ｂを有している。
【００２４】
また、第１カバー１１は、図５〜６に示すように、長手方向の中央部分に、嵌合機能部４０を有している。嵌合機能部４０は、第１カバー１１の一方の縁部に形成された突出嵌合部４１と他方の縁部に形成された凹状嵌合部４２とから構成されている。
【００２５】
第１カバー１１には、短手方向（各図中のＸ方向）における両縁部の内壁面２１ａに、逃げ凹部４５が形成されている。これらの逃げ凹部４５には、握り部収容部２１に握り押ボタン式子機１の一部を収容させた際に、握り押ボタン式子機１の呼出握りボタン４が収容される。逃げ凹部４５は、その深さ寸法が、呼出握りボタン４の突出寸法よりも僅かに大きくされている。
【００２６】
第１カバー１１は、第２カバー１２と組み合わせるときに第２カバー１２と付き合わされる縁部において、係合機能部３０および嵌合機能部４０以外の部分が突き合わせ部４８とされている。
【００２７】
第２カバー１２は、これまで図５〜図８を参照して説明した第１カバー１１と同一形状とされている。第２カバー１２は、第１カバー１１の握り部収容部２１に半分が収容された握り押ボタン式子機１の残りの半分を収容可能な握り部収容部（第２収容部の一例）２１を有しており、中央部分に窓部２２を有している。第２カバー１２も、外側係合部３１Ａ，３１Ｂと内側係合部（第２係合部の一例）３２Ａ，３２Ｂを有する係合機能部３０、突出嵌合部４１と凹状嵌合部４２とからなる嵌合機能部４０、および握り押ボタン式子機１の呼出握りボタン４が収容される逃げ凹部４５が設けられている。また、第２カバー１２も、その縁部における係合機能部３０および嵌合機能部４０以外の部分が突き合わせ部４８とされている。
【００２８】
次に、図９〜図１１を参照して、アタッチメント１０が装着された握り押ボタン式子機１の断面形状を説明する。
図９に示すように、図３におけるＣ−Ｃ線の位置において（図６（ｃ）におけるＡ−Ａ線の位置に相当）、第１カバー１１および第２カバー１２が握り押ボタン式子機１の握り部１ａに組み付けられた状態で、第２カバー１２の内側係合部３２Ａは、第１カバー１１の外側係合部３１Ａの側面Ｓ１と握り部１ａの外周面Ｏ１とで形成された凹部５０に嵌合されている。同様に、第１カバー１１の内側係合部３２Ａは、第２カバー１２の外側係合部３１Ａの側面Ｓ２と握り部１ａの外周面Ｏ２とで形成された凹部５０に嵌合されている。
【００２９】
また、図１０に示すように、図３におけるＤ−Ｄ線の位置において（図６（ｃ）におけるＢ−Ｂ線の位置に相当）、第１カバー１１および第２カバー１２が握り押ボタン式子機１の握り部１ａに組み付けられた状態で、第２カバー１２の内側係合部３２Ｂは、第１カバー１１の外側係合部３１Ｂの側面Ｓ３と握り部１ａの外周面Ｏ３とで形成された凹部５０に嵌合されている。同様に、第１カバー１１の内側係合部３２Ｂは、第２カバー１２の外側係合部３１Ｂの側面Ｓ４と握り部１ａの外周面Ｏ４とで形成された凹部５０に嵌合されている。
【００３０】
また、図１１に示すように、第１カバー１１と第２カバー１２との突き合わせ箇所では、突出嵌合部４１と凹状嵌合部４２とが互いに嵌合され、係合機能部３０および嵌合機能部４０以外の部分の突き合わせ部４８同士が互いにほぼ隙間なく突き合わされている。
【００３１】
また、図１２に示すように、第１カバー１１と第２カバー１２とが突き合わされることで、それぞれの逃げ凹部４５が組み合わされ、これらの組み合わされた逃げ凹部４５内に、握り押ボタン式子機１の呼出握りボタン４が収容されている。
【００３２】
次に、アタッチメント１０を握り押ボタン式子機１に装着する場合の係合機能部３０の動作について説明する。図１３の（ａ）から（ｃ）は、図３のＣ−Ｃ線の位置における、それぞれ第１カバー１１および第２カバー１２の係合部分の動作を示している。
【００３３】
装着の際、例えば最初に、握り部収容部２１を上方へ向けた第１カバー１１に対して、握り押ボタン式子機１の握り部１ａを嵌め込む。
【００３４】
このようにすると、図１３（ａ）に示すように、第１カバー１１の握り部収容部２１内に、握り押ボタン式子機１の握り部１ａの一部である下半分が収容され、握り部１ａの外周面が第１カバー１１の握り部収容部２１の内壁面２１ａに接触する。この状態で、第１カバー１１の外側係合部３１Ａの側面Ｓ１と握り部１ａの外周面Ｏ１とで凹部５０が形成される。
【００３５】
次に、握り押ボタン式子機１の上方側から、握り部収容部２１を下方へ向けた第２カバー１２を握り押ボタン式子機１に被せるように、第１カバー１１へ近接させる。このようにすると、第１カバー１１の外側係合部３１Ａに対して第２カバー１２の内側係合部３２Ａが近接される。
【００３６】
さらに、第１カバー１１に対して第２カバー１２を近接させると、図１３（ｂ）に示すように、第１カバー１１の外側係合部３１Ａに第２カバー１２の内側係合部３２Ａが接触し、第１カバー１１の外側係合部３１Ａの外側係合膨出部３１ａと第２カバー１２の内側係合部３２Ａの内側係合膨出部３２ａとが摺動する。これにより、第１カバー１１の外側係合部３１Ａが僅かに外側へ弾性変形されるとともに、第２カバー１２の内側係合部３２Ａが僅かに内側へ弾性変形される。
【００３７】
その後、図１３（ｃ）に示すように、第１カバー１１の外側係合部３１Ａの側面Ｓ１と握り部１ａの外周面Ｏ１とで形成された凹部５０内に、第２カバー１２の内側係合部３２Ａが嵌合される。この状態で、弾性変形されていた第１カバー１１の外側係合部３１Ａおよび第２カバー１２の内側係合部３２Ａが復元する。したがって、第１カバー１１の外側係合部３１Ａと第２カバー１２の内側係合部３２Ａとが係合する。また、図示せぬ反対側では、同様に、第１カバー１１の内側係合部３２Ａと第２カバー１２の外側係合部３１Ａとが係合する（図９参照）。
【００３８】
また、図３のＤ−Ｄ線の位置における、それぞれ第１カバー１１および第２カバー１２の係合部分も図１４に示すように同様に動作する。
【００３９】
このようにして、第１カバー１１と第２カバー１２とが握り押ボタン式子機１とともに互いに係合することで、握り押ボタン式子機１に第１カバー１１と第２カバー１２とからなるアタッチメント１０が装着される。この状態で、第２カバー１２の握り部収容部２１内に握り押ボタン式子機１の握り部１ａの一部である上半分が収容され、握り部１ａの外周面が第２カバー１２の握り部収容部２１の内壁面２１ａと接触される。そして、握り押ボタン式子機１にアタッチメント１０が装着された状態で、第１カバー１１、第２カバー１２および握り押ボタン式子機１が互いに位置決めされる。
【００４０】
ここで、第１カバー１１と第２カバー１２とが握り押ボタン式子機１に装着された状態において、外側係合部３１Ａ，３１Ｂが突出する方向を第１方向（各図中の±Ｙ方向）とし、この第１方向と垂直に交差するとともに外側係合部３１Ａ，３１Ｂの内側の側面が握り部１ａの外周面と対向する向きを第２方向（各図中の±Ｘ方向）とする。すると、第１カバー１１と第２カバー１２とを握り押ボタン式子機１に装着した状態において、外側係合部３１Ａ（３１Ｂ）と内側係合部３２Ａ（３２Ｂ）とが係合することによって、第１カバー１１と第２カバー１２とが互いに第１方向に沿って移動することが規制される。また、第１カバー１１の握り部収容部２１の内壁面２１ａおよび第２カバー１２の握り部収容部２１の内壁面２１ａが握り部１ａの外周面に接触することによって、第１カバー１１と第２カバー１２とが互いに第２方向に沿って移動することが規制される。
【００４１】
また、握り押ボタン式子機１にアタッチメント１０を装着すると、第１カバー１１および第２カバー１２のそれぞれの嵌合機能部４０において、突出嵌合部４１が凹状嵌合部４２に嵌合される。これによって、第１カバー１１と第２カバー１２とがさらに位置決めされ、長手方向（図中の±Ｚ方向）への移動が規制される（図１１等参照）。
【００４２】
また、握り押ボタン式子機１にアタッチメント１０を装着した状態で、第１カバー１１および第２カバー１２の逃げ凹部４５に握り押ボタン式子機１の呼出握りボタン４が、僅かに隙間をあけた状態で収容される。これにより、呼出握りボタン４は、第１カバー１１および第２カバー１２によって、その外方が覆われる。
【００４３】
また、アタッチメント１０は、第１カバー１１および第２カバー１２の突き合わせ部４８において、互いの縁部が突き合わされる。
【００４４】
ところで、特許文献１に記載のアタッチメントは、レバー部が、メス型嵌合部を有する第１のアームと、オス型嵌合部を有する第２のアームとで構成されている。これらのメス型嵌合部とオス型嵌合部とが嵌合された部分の周囲において、レバー部（各アーム）と握り押ボタン式子機の外周面との間に隙間が形成されている。このため、医療従事者や患者等が、アタッチメントが装着された状態の握り押ボタン式子機を手から滑らせて、床に落下させてしまった場合、隙間の分だけ握り押ボタン式子機とレバー部との位置関係がずれて、レバー部のメス型嵌合部とオス型嵌合部とが嵌合する部分に落下による衝撃力が集中して、アタッチメントが握り押ボタン式子機から外れてしまう場合がある。
【００４５】
これに対し、本実施形態の構成では、握り押ボタン式子機１の握り部１ａと、第１カバー１１と、第２カバー１２との３つの部材によって、３つの部材の位置が互いに位置決めされる位置決め構造が成立している。さらに、アタッチメント１０を装着した状態において、第１カバー１１と第２カバー１２との係合部分の周囲では、装着される握り押ボタン式子機１の握り部１ａの外周面が第１カバー１１および第２カバー１２の握り部収容部２１の内壁面２１ａに密着している。これにより、アタッチメント１０が装着された状態の握り押ボタン式子機１を手から滑らせて、床に落下させてしまった場合であっても、握り押ボタン式子機１とアタッチメント１０との位置関係が大きくずれることはない。したがって、アタッチメントが装着された状態の握り押ボタン式子機を手から滑らせて、床に落下させてしまった場合であっても、アタッチメント１０は外れにくい。
【００４６】
また、特許文献１に記載のアタッチメントは、レバー部が、メス型嵌合部を有する第１のアームと、オス型嵌合部を有する第２のアームとで構成されている。この構成では、握り押ボタン式子機が床に落下した場合に、レバー部のメス型嵌合部とオス型嵌合部とが嵌合する部分において、衝撃力の三方向の成分の全てを受けとめることになり、嵌合部分への負荷が大きくなり、アタッチメントが外れ易い。
【００４７】
これに対し、本実施形態の構成では、握り押ボタン式子機１のアタッチメント１０に対する移動を規制する箇所が分散している。
【００４８】
具体的には、第１カバー１１の外側係合部３１Ａと第２カバー１２の内側係合部３２Ａとが係合し、第１カバー１１の内側係合部３２Ａと第２カバー１２の外側係合部３１Ａとが係合することで、第１カバー１１と第２カバー１２とが対向する方向（各図中の±Ｙ方向）に沿って移動することが規制されている。
【００４９】
また、第１カバー１１の外側係合部３１Ｂと第２カバー１２の内側係合部３２Ｂとが係合し、第１カバー１１の内側係合部３２Ｂと第２カバー１２の外側係合部３１Ｂとが係合することで、第１カバー１１と第２カバー１２とが上述の第１方向（各図中の±Ｙ方向）に沿って移動することが規制されている。
【００５０】
また、第１カバー１１の握り部収容部２１の内壁面２１ａおよび第２カバー１２の握り部収容部２１の内壁面２１ａが握り部１ａの外周面に接触することによって、第１カバー１１と第２カバー１２とが互いに上述の第２方向（各図中の±Ｘ方向）に沿って移動することが規制されている。
【００５１】
また、第１カバー１１および第２カバー１２のそれぞれの嵌合機能部４０において、突出嵌合部４１が凹状嵌合部４２に嵌合されることによって、第１カバー１１と第２カバー１２とが長手方向（図中の±Ｚ方向）へ移動することが規制されている。
【００５２】
このように、一か所ではなく、握り押ボタン式子機１の長手方向に沿って異なる場所で、衝撃力の上下左右前後の三方向（±Ｘ，±Ｙ，±Ｚの３方向）の成分をそれぞれ分散させて受け止めている。このため、握り押ボタン式子機１が床に落下した場合であっても、一か所の係合部分に衝撃力の三方向の成分が集中することがなく、外れにくい。しかも、アタッチメント１０を装着する際には、アタッチメント１０を装着するための力も分散される。このため、握り押ボタン式子機１へアタッチメント１０を容易に装着することができる。
【００５３】
また、アタッチメント１０を構成する第１カバー１１と第２カバー１２とが同一形状とされている。したがって、これらの第１カバー１１および第２カバー１２を同じ金型で製造でき、製造コストを抑えることができる。
【００５４】
ところで、ナースコール装置の握り押ボタン式子機１では、握り部１ａの端面の呼出押ボタン３だけでなく、本実施形態で示したように、握り面である側面にも呼び出しのための呼出握りボタン４が設けられている。これは、手の力が弱い人のために設けたものであるが、患者によっては、この握り部１ａの側面の呼出握りボタン４を誤って触って、誤呼び出ししてしまう場合がある。そこで、握り押ボタン式子機１には、その付属品として、アタッチメント１０がある。
【００５５】
しかしながら、特許文献１のアタッチメントのように、レバー部と握り押ボタン式子機との間に隙間があると、前述したように、医療従事者や患者等が、アタッチメントが装着された状態の握り押ボタン式子機を手から滑らせて、床に落下させてしまった場合、隙間の分だけ握り押ボタン式子機とレバー部との位置関係がずれて、握り面のスイッチが押下されて、誤呼び出ししてしまう場合がある。
【００５６】
これに対し、本実施形態では、床に落下させてしまった場合であっても、握り押ボタン式子機１とアタッチメント１０との位置関係が大きくずれることはなく、落下時の衝撃力によって呼出握りボタン４が押下されて誤呼び出ししてしまうことを抑制できる。
【００５７】
なお、本発明は、ナースコール装置の握り押ボタン式子機１に装着するアタッチメント１０を例示して説明したが、アタッチメント１０の装着対象の装置は、ナースコール装置の握り押ボタン式子機１に限らない。本発明は、押ボタンが握り部に設けられる握り押ボタン式子機であれば、例えば、インターホンの子機などに装着されるアタッチメントにも応用可能である。
【符号の説明】
【００５８】
１：握り押ボタン式子機、１ａ：握り部、３：呼出押ボタン、４：呼出握りボタン、１０：アタッチメント、１１：第１カバー、１２：第２カバー、２１：握り部収容部（第１収容部の一例，第２収容部の一例）、３１Ａ，３１Ｂ：外側係合部（第１係合部の一例）、３２Ａ，３２Ｂ：内側係合部（第２係合部の一例）、２１ａ：内壁面、５０：凹部
【図１】
2016034421.tif 000003
【図２】
2016034421.tif 000004
【図３】
2016034421.tif 000005
【図４】
2016034421.tif 000006
【図５】
2016034421.tif 000007
【図６】
2016034421.tif 000008
【図７】
2016034421.tif 000009
【図８】
2016034421.tif 000010
【図９】
2016034421.tif 000011
【図１０】
2016034421.tif 000012
【図１１】
2016034421.tif 000013
【図１２】
2016034421.tif 000014
【図１３】
2016034421.tif 000015
【図１４】
2016034421.tif 000016